(57)【要約】【課題】コストの増大を招くことなく、複数の情報を表示可能な紙葉類処理装置及び紙葉類処理方法を提供することを目的とする。【解決手段】紙葉類処理装置は、紙葉類を集積する集積ユニット４０と、集積ユニット４０に集積される紙葉類の区切り枚数を指定する指定部１０７Ａと、集積ユニット４０に集積される紙葉類のカテゴリを設定する設定部１０７Ｂと、表示部４２ａ乃至４２ｅと、を備えている。表示部４２ａ乃至４２ｅは、設定部１０７Ｂによる設定時には設定されたカテゴリを表示し、集積ユニット４０への紙葉類の集積時には集積ユニット４０に集積された紙葉類の集積枚数を第１表示モードで表示するとともに集積枚数が指定部１０７Ａによって指定された区切り枚数に達したのに基づいて集積枚数を第１表示モードとは異なる第２表示モードで表示する。【選択図】　　　　図１
2004054786.tif 000002
【特許請求の範囲】
【請求項１】
紙葉類を集積する集積手段と、
前記集積手段に集積される紙葉類の区切り枚数を指定する指定手段と、
前記集積手段に集積された紙葉類の集積枚数を第１表示モードで表示し、集積枚数が前記指定手段によって指定された区切り枚数に達したのに基づいて集積枚数を第１表示モードとは異なる第２表示モードで表示する表示手段と、
を備えたことを特徴とする紙葉類処理装置。
【請求項２】
紙葉類を集積する集積手段と、
前記集積手段に集積される紙葉類の区切り枚数を指定する指定手段と、
前記集積手段に集積された紙葉類の集積枚数を計数する計数手段と、
前記計数手段により計数された紙葉類の集積枚数を表示する表示手段と、
前記表示手段に集積枚数を第１表示モードで表示させ、集積枚数が前記指定手段によって指定された区切り枚数に達したのに基づいて集積枚数を第１表示モードとは異なる第２表示モードで表示させる制御手段と、
を備えたことを特徴とする紙葉類処理装置。
【請求項３】
紙葉類を集積する第１及び第２集積部を有する集積手段と、
前記第１集積部に集積される紙葉類の区切り枚数を指定する指定手段と、
前記第１集積部に集積された紙葉類の集積枚数を計数する計数手段と、
前記計数手段により計数された紙葉類の集積枚数を表示する表示手段と、
前記表示手段に集積枚数を第１表示モードで表示させ、集積枚数が前記指定手段によって指定された区切り枚数に達したのに基づいて集積枚数を第１表示モードとは異なる第２表示モードで表示させるとともに前記集積手段における紙葉類の集積先を前記第１集積部から第２集積部に変更する制御手段と、
を備えたことを特徴とする紙葉類処理装置。
【請求項４】
前記第１表示モードでは集積枚数を点灯表示し、前記第２表示モードでは集積枚数を点滅表示することを特徴とする請求項１乃至３のいずれか１項に記載の紙葉類処理装置。
【請求項５】
紙葉類を集積する集積手段と、
前記集積手段に集積される紙葉類のカテゴリを設定する設定手段と、
前記設定手段による設定時には設定されたカテゴリを表示し、前記集積手段への紙葉類の集積時には紙葉類の集積枚数を表示する表示手段と、
を備えたことを特徴とする紙葉類処理装置。
【請求項６】
紙葉類を集積する集積手段と、
前記集積手段に集積される紙葉類のカテゴリを設定する設定手段と、
前記集積手段に集積された紙葉類の集積枚数を計数する計数手段と、
紙葉類のカテゴリまたは集積枚数を表示する表示手段と、
前記設定手段による設定時には前記表示手段に設定されたカテゴリを表示させ、前記集積手段への紙葉類の集積時には前記表示手段に集積された集積枚数を表示させる制御手段と、
を備えたことを特徴とする紙葉類処理装置。
【請求項７】
紙葉類を集積する集積手段と、
前記集積手段に集積される紙葉類の区切り枚数を指定する指定手段と、
前記集積手段に集積される紙葉類のカテゴリを設定する設定手段と、
前記集積手段に集積された紙葉類の集積枚数を計数する計数手段と、
紙葉類のカテゴリまたは集積枚数を表示する表示手段と、
前記設定手段による設定時には前記表示手段に設定されたカテゴリを表示させ、前記集積手段への紙葉類の集積時には前記表示手段に集積された集積枚数を表示させ、集積枚数が前記指定手段によって指定された区切り枚数に達したのに基づいて集積枚数を点滅表示させる制御手段と、
を備えたことを特徴とする紙葉類処理装置。
【請求項８】
紙葉類を集積する第１及び第２集積部を有する集積手段と、
前記第１及び第２集積部に集積される紙葉類のカテゴリをそれぞれ設定する設定手段と、
紙葉類を取り出す取出手段と、
前記取出手段により取り出された紙葉類のカテゴリを判定する判定手段と、
前記判定手段により判定されカテゴリ毎に前記第１及び第２集積部に集積された紙葉類の集積枚数を計数する計数手段と、
紙葉類のカテゴリまたは集積枚数を表示する表示手段と、
前記設定手段による設定時には前記表示手段に設定されたカテゴリを表示させ、前記集積手段への紙葉類の集積時には前記表示手段に集積された集積枚数を表示させる制御手段と、
を備えたことを特徴とする紙葉類処理装置。
【請求項９】
紙葉類を集積する第１及び第２集積部を有する集積手段と、
前記第１及び第２集積部に集積される紙葉類の区切り枚数を指定する指定手段と、
前記第１及び第２集積部に集積される紙葉類のカテゴリをそれぞれ設定する設定手段と、
紙葉類を取り出す取出手段と、
前記取出手段により取り出された紙葉類のカテゴリを判定する判定手段と、
前記判定手段により判定されカテゴリ毎に前記第１及び第２集積部に集積された紙葉類の集積枚数を計数する計数手段と、
紙葉類のカテゴリまたは集積枚数を表示する表示手段と、
前記設定手段による設定時には前記表示手段に設定されたカテゴリを表示させ、前記集積手段への紙葉類の集積時には前記表示手段に集積された集積枚数を表示させ、集積枚数が前記指定手段によって指定された区切り枚数に達したのに基づいて集積枚数を点滅表示させる制御手段と、
を備えたことを特徴とする紙葉類処理装置。
【請求項１０】
集積される紙葉類の区切り枚数の指定を受け付け、
紙葉類を集積し、
集積された紙葉類の集積枚数を第１表示モードで表示部に表示し、
集積枚数が指定された区切り枚数に達したのに基づいて前記表示部に集積枚数を第１表示モードとは異なる第２表示モードで表示する、
ことを特徴とする紙葉類処理方法。
【請求項１１】
集積される紙葉類のカテゴリの設定を受け付け、
設定されたカテゴリを表示部に表示し、
紙葉類を集積し、
集積された紙葉類の集積枚数を前記表示部に表示する、
ことを特徴とする紙葉類処理方法。
【発明の詳細な説明】
【０００１】
【発明の属する技術分野】
この発明は、紙葉類処理装置及び紙葉類処理方法に係り、特に、紙幣等の紙葉類をカテゴリ毎に集積したときのカテゴリ及び集積枚数の表示方式に関する。
【０００２】
【従来の技術】
紙葉類処理装置は、紙幣などの紙葉類を１枚ずつ取り出し、取り出した紙葉類の券種などのカテゴリを判定し、カテゴリ毎にポケット部に集積するものである。各ポケット部の近傍には、それぞれのポケット部に集積された紙葉類の枚数を表示する表示部が配置されている。
【０００３】
この表示部は、例えば発光ダイオードによって構成され、３桁表示が可能であって、０枚から９９９枚まで計数された集積枚数を表示可能である。オペレータは、表示部を視認することにより各ポケット部に集積された紙葉類の集積枚数を認識できる。
【０００４】
【発明が解決しようとする課題】
しかしながら、表示部は、紙葉類の集積枚数を単一の表示モードで表示するのみであって、他の情報を表示していない。また、集積枚数以外に複数の情報を表示するために、各ポケット部に対応して複数の表示部を設ける場合、コストの増大を招くことになる。
【０００５】
そこで、この発明は、上述した課題に鑑みなされたものであって、コストの増大を招くことなく、複数の情報を表示可能な紙葉類処理装置及び紙葉類処理方法を提供することを目的とする。
【０００６】
【課題を解決するための手段】
この発明の第１の様態による紙葉類処理装置は、
紙葉類を集積する集積手段と、
前記集積手段に集積される紙葉類の区切り枚数を指定する指定手段と、
前記集積手段に集積された紙葉類の集積枚数を第１表示モードで表示し、集積枚数が前記指定手段によって指定された区切り枚数に達したのに基づいて集積枚数を第１表示モードとは異なる第２表示モードで表示する表示手段と、
を備えたことを特徴とする。
【０００７】
この発明の第２の様態による紙葉類処理装置は、
紙葉類を集積する集積手段と、
前記集積手段に集積される紙葉類のカテゴリを設定する設定手段と、
前記設定手段による設定時には設定されたカテゴリを表示し、前記集積手段への紙葉類の集積時には紙葉類の集積枚数を表示する表示手段と、
を備えたことを特徴とする。
【０００８】
この発明の第３の様態による紙葉類処理方法は、
集積される紙葉類の区切り枚数の指定を受け付け、
紙葉類を集積し、
集積された紙葉類の集積枚数を第１表示モードで表示部に表示し、
集積枚数が指定された区切り枚数に達したのに基づいて前記表示部に集積枚数を第１表示モードとは異なる第２表示モードで表示する、
ことを特徴とする。
【０００９】
この発明の第４の様態による紙葉類処理方法は、
集積される紙葉類のカテゴリの設定を受け付け、
設定されたカテゴリを表示部に表示し、
紙葉類を集積し、
集積された紙葉類の集積枚数を前記表示部に表示する、
ことを特徴とする。
【００１０】
【発明の実施の形態】
以下、この発明の一実施の形態に係る紙葉類処理装置及び紙葉類処理方法について図面を参照して詳細に説明する。
図１に示すように、紙葉類処理装置は、紙葉類としての紙幣を券種などのカテゴリ毎に集積する筐体１と、制御ユニット１００とを備えて構成されている。制御ユニット１００は、オペレータ操作に基づいて筐体１における各部の動作を制御するものである。
【００１１】
この筐体１の一側中央部には、テーブル部１Ａが設けられている。このテーブル部１Ａには、取出手段として機能する紙幣供給部２が設けられている。この紙幣供給部２には、紙葉類の有無に基づいた出力信号を出力する紙幣検知センサＳが設けられている。このような紙幣供給部２には、紙葉類としての紙幣Ｐが立位状態で複数枚収容可能である。
【００１２】
この紙幣Ｐは、バネ３で付勢されたバックアップ板４によって送出ローラとしてのピックアップローラ５に押し付けられている。この紙幣Ｐは、ピックアップローラ５の回転により下方部に配設された分離搬送部３２に送り出される。分離搬送部３２から搬出された紙幣Ｐは、ベルト６とローラ７とにより構成されたクランプ式の搬送機構Ｈにより搬送される。
【００１３】
この搬送機構Ｈには、取り出された紙幣Ｐのシフトとスキューを自動補正する姿勢補正装置８が設けられている。搬送手段Ｈの紙幣搬送方向下流側には、判定手段として機能する判定部９が設けられている。この判定部９は、ローラ対１０で搬送される紙幣Ｐの表裏面から各種情報を読み取り、それを論理演算し、基準になる情報と比較することによって、汚れや、破損の有無、券種、天地及び表裏の４方向を判定する。
【００１４】
判定部９の紙幣搬送方向下流側には、第１分岐装置１１が設けられている。第１分岐装置１１は、判定部９の判定によって２枚取り紙幣、一定以上の大スキューの紙幣、汚れや破損の著しい紙幣等、正券と判定されなかった紙幣Ｐ（すなわち損券と判定された紙幣）をリジェクト箱１２に導き、正券と判定された紙幣Ｐを第２分岐装置１３に導く。
【００１５】
第２分岐装置１３は、紙幣Ｐの搬送方向を第１及び第２方向に分けるものである。第１方向には、左右反転パス１４が設けられている。この左右反転パス１４は、紙幣Ｐを左右１８０度反転するヒネリベルト１５を有している。第２方向には、単なるベルト搬送部１６が設けられ、紙幣Ｐをそのままの状態で搬送する。第１及び第２方向に分岐されて搬送された紙幣Ｐは、合流部１７で合流する。この合流部１７までの経路長は、等しく、紙幣合流後の間隔がズレないように構成されている。
【００１６】
合流部１７の紙幣搬送方向下流側には、第３分岐装置１８が設けられている。この第３分岐装置１８により、紙幣Ｐの搬送方向が第３及び第４方向に分岐される。第３方向には、スイッチバックパス部１９が設けられている。スイッチバックパス部１９には、紙幣Ｐを導入させる反転箱２０、及び、この反転箱２０に導かれた紙幣Ｐの後端を反転ローラ２１ａに押し付けるタタキ車２１が設けられている。紙幣Ｐは、反転箱２０から送り出されることにより、その天地が反転されて搬送される。
【００１７】
第４方向には、単なるベルト搬送部２２が設けられ、紙幣Ｐは、そのままの姿勢を維持して搬送される。第３及び第４方向に分岐されて搬送された紙幣Ｐは、合流部２３で合流する。この合流部２３までの分岐パスの経路長は、等しく、紙幣合流後の間隔がズレないように構成されている。
【００１８】
合流部２３の紙幣搬送方向下流側には、集積手段として機能する集積ユニット４０が設けられている。この集積ユニット４０には、合流部２３に連結された水平搬送路２４が設けられている。この水平搬送路２４には、カテゴリ別に区分して集積されるポケット部の数より一つ少ない数のゲート２５ａ乃至２５ｄが配設されている。これらゲート２５ａ乃至２５ｄの下方部には、集積部として第１乃至第４ポケット部２６ａ乃至２６ｄが配設されている。これら第１乃至第４ポケット部２６ａ乃至２６ｄには、紙幣Ｐが水平状態に積み重ねて集積される。
【００１９】
ゲート２５ａの下方部には、施封装置２７が設けられている。施封装置２７は、紙幣Ｐを１００枚づつ集積する集積ポケット部２８と、この集積ポケット部２８から紙幣Ｐを搬送する搬送部２８ａと、この搬送部２８ａにより搬送された紙幣Ｐを紙帯３０で結束する帯巻部２９と、を有している。
【００２０】
水平搬送路２４からゲート２５ａ乃至２５ｄを介して第１乃至第４ポケット部２６ａ乃至２６ｄ、及び、集積ポケット部２８のそれぞれに集積された紙幣Ｐの集積枚数を計数する計数手段として機能する計数部４１ａ乃至４１ｅが配置されている。
【００２１】
また、第１乃至第４ポケット部２６ａ乃至２６ｄ、及び、集積ポケット部２８の近傍には、それぞれに集積された紙幣Ｐの集積枚数を表示可能な表示手段として機能する表示部４２ａ乃至４２ｅが配置されている。図２に示すように、これらの表示部４２ａ乃至４２ｅは、例えば発光ダイオード（ＬＥＤ）によって構成され、３桁表示が可能であって、０枚から９９９枚まで計数された集積枚数を表示可能である。
【００２２】
また、これらの表示部４２ａ乃至４２ｅは、それぞれ第１表示モード及び第２表示モードでの表示が可能である。例えば、第１表示モードでは、集積枚数を点灯表示し、第２表示モードでは、集積枚数を点滅表示する。
【００２３】
さらに、これらの表示部４２ａ乃至４２ｅは、それぞれ集積枚数の他に、予め指定した区切り枚数や、予めポケット部毎に設定したカテゴリ（例えば券種）などを表示可能である。区切り枚数は、集積枚数とは異なる表示モードで表示される。例えば、集積枚数は、図３の（ａ）に示すように第１表示モードで表示し、集積枚数が区切り枚数に達した時点で図３の（ｂ）に示すように区切り枚数を第２表示モードで表示する。なお、図３の（ｂ）に示した例では、１００枚を区切り枚数としている。
【００２４】
また、カテゴリは、集積枚数とは異なるタイミングで表示される。例えば、カテゴリは、図３の（ｃ）に示すように設定時のみ表示され、紙葉類の集積が開始されたのに基づいて図３の（ａ）に示すような集積枚数の表示に切り替わる。カテゴリとして紙幣Ｐの券種を表示する場合、例えば、１０００円紙幣を集積するポケット部の表示部には、「１」と表示され、２０００円紙幣を集積するポケット部の表示部には、「２」と表示され、５０００円紙幣を集積するポケット部の表示部には、「５」と表示され、１００００円紙幣を集積するポケット部の表示部には、「１０」と表示される。なお、図３の（ｃ）に示した例では、１０００円を示す「１」をカテゴリとして表示している。
【００２５】
図１に示すように、制御ユニット１００は、例えば汎用パソコンシステムに専用アプリケーションソフトをインストールしたテラーマシンであり、ＣＰＵ１０１と、メモリ部１０３と、表示部１０５と、入力部１０７とを備えて構成されている。
【００２６】
すなわち、ＣＰＵ１０１は、各部の駆動を制御する制御手段として機能する。メモリ部１０３は、種々の制御データを記憶している。表示部１０５は、種々の情報を表示してオペレータに報知する。入力部１０７は、種々の情報を入力するために用いられる。
【００２７】
この入力部１０７は、区切り枚数を指定するための指定手段として機能する指定部１０７Ａ、及び、カテゴリを設定するための設定手段として機能する設定部１０７Ｂを含んでいる。メモリ部１０３は、ポケット部毎に指定部１０７Ａを介して指定された区切り枚数や、ポケット部毎に設定部１０７Ｂを介して設定されたカテゴリなどに対応したデータを記憶する。
【００２８】
また、図４に示すように、ＣＰＵ１０１は、筐体１内におけるピックアップローラ５、分離搬送部３２、紙幣検知センサＳなどによって構成される紙幣供給部２の駆動を制御する。さらに、ＣＰＵ１０１は、判定部９の駆動を制御するとともに、判定部９における判定結果を取得する。
【００２９】
また、ＣＰＵ１０１は、搬送機構Ｈ、第１乃至第３分岐装置１１、１３、１８などによって構成される搬送部の駆動を制御する。さらに、ＣＰＵ１０１は、ゲート２５ａ乃至２５ｄ、第１乃至第４ポケット部２６ａ乃至２６ｄ、集積ポケット部２８、計数部４１ａ乃至４１ｅ、表示部４２ａ乃至４２ｅなどによって構成される集積ユニット４０の駆動を制御する。
【００３０】
次に、図５に示したフローチャートを参照して区切り枚数の指定及びカテゴリの設定を行うための前処理モードについて説明する。
【００３１】
まず、ＣＰＵ１０１は、入力部１０７を介して前処理モードの実行が選択されたか否かを判断する（ＳＴ１１）。ＣＰＵ１０１は、前処理モードの実行が選択されたと判断したのに基づいて（ＳＴ１１、Ｙ）、入力部１０７の指定部１０７Ａを介して区切り枚数の指定を受け付けたか否かを判断する（ＳＴ１２）。
【００３２】
続いて、ＣＰＵ１０１は、区切り枚数の指定を受け付けたと判断したのに基づいて（ＳＴ１２、Ｙ）、指定された区切り枚数に対応したデータをメモリ部１０３に記憶する（ＳＴ１３）。このとき、区切り枚数は、第１乃至第４ポケット部２６ａ乃至２６ｄ及び集積ポケット部２８についてそれぞれ個別に指定可能である。
【００３３】
この例では、第１乃至第４ポケット部２６ａ乃至２６ｄ及び集積ポケット部２８すべての区切り枚数を１００枚に指定したものとする。メモリ部１０３には、第１乃至第４ポケット部２６ａ乃至２６ｄ及び集積ポケット部２８のそれぞれについて、区切り枚数が１００枚である旨のデータが記憶される。
【００３４】
続いて、ＣＰＵ１０１は、第１乃至第４ポケット部２６ａ乃至２６ｄ及び集積ポケット部２８のそれぞれに対応して設けられた表示部４２ａ乃至４２ｅに指定された区切り枚数を表示させる（ＳＴ１４）。このとき、各表示部４２ａ乃至４２ｅでは、指定された区切り枚数を第１表示モード（例えば点灯表示）で表示しても良いし、第２表示モード（例えば点滅表示）で表示しても良い。
【００３５】
続いて、ＣＰＵ１０１は、入力部１０７の設定部１０７Ｂを介してカテゴリの設定を受け付けたか否かを判断する（ＳＴ１５）。なお、この前処理モードでは、各ポケット部の区切り枚数の指定を行うことなく（ＳＴ１２、Ｎ）、最初にカテゴリの設定を行っても良い。
【００３６】
続いて、ＣＰＵ１０１は、カテゴリの設定を受け付けたと判断したのに基づいて（ＳＴ１５、Ｙ）、設定されたカテゴリに対応したデータをメモリ部１０３に記憶する（ＳＴ１６）。このとき、カテゴリは、第１乃至第４ポケット部２６ａ乃至２６ｄ及び集積ポケット部２８についてそれぞれ個別に指定可能である。
【００３７】
この例では、第１及び第２ポケット部２６ａ及び２６ｂには、カテゴリとして１０００円の券種が設定され、第３ポケット部２６ｃには、カテゴリとして５０００円の券種が設定され、第４ポケット部２６ｄには、カテゴリとして１００００円の券種が設定されたものとする。メモリ部１０３には、第１乃至第４ポケット部２６ａ乃至２６ｄのそれぞれについて、設定された券種に対応したデータが記憶される。
【００３８】
続いて、ＣＰＵ１０１は、第１乃至第４ポケット部２６ａ乃至２６ｄのそれぞれに対応して設けられた表示部４２ｂ乃至４２ｅに設定されたカテゴリを表示させる（ＳＴ１７）。このとき、各表示部４２ｂ乃至４２ｅでは、図３の（ｃ）に示すように、設定されたカテゴリを第１表示モード（例えば点灯表示）で表示しても良いし、第２表示モード（例えば点滅表示）で表示しても良い。
【００３９】
この例では、第１及び第２ポケット部２６ａ及び２６ｂに対応して設けられた表示部４２ｂ及び４２ｃには、１０００円の券種を表わす「１」が表示される。第３ポケット部２６ｃに対応して設けられた表示部４２ｄには、５０００円の券種を表わす「５」が表示される。第４ポケット部２６ｄに対応して設けられた表示部４２ｅには、１００００円の券種を表わす「１０」が表示される。
【００４０】
続いて、ＣＰＵ１０１は、入力部１０７を介して前処理モードにおける区切り枚数の指定及びカテゴリの設定を完了した旨の入力を受け付けたか否かを判断する（ＳＴ１８）。そして、ＣＰＵ１０１は、前処理モードを完了した旨の入力を受け付けたのに基づいて（ＳＴ１８、Ｙ）、前処理モードを終了する。
【００４１】
次に、図６に示したフローチャートを参照して紙幣の集積モードについて説明する。
【００４２】
まず、ＣＰＵ１０１は、入力部１０７を介した操作により紙幣Ｐの取出動作の開始が要求されたか否かを判断する（ＳＴ２１）。ＣＰＵ１０１は、取出動作の開始が要求されたと判断したのに基づいて（ＳＴ２１、Ｙ）、紙幣検知センサＳからの出力信号に基づいて、紙幣供給部２に取り出す紙幣Ｐが有るか否かを判断する（ＳＴ２２）。
【００４３】
続いて、ＣＰＵ１０１は、取り出す紙幣Ｐが有ると判断したのに基づいて（ＳＴ２２、Ｙ）、紙幣供給部２の駆動を制御してピックアップローラ５や分離搬送部３２により紙幣Ｐの取出動作を行う（ＳＴ２３）。また、ＣＰＵ１０１は、搬送部１１０の駆動を制御して取り出した紙幣を搬送する。
【００４４】
続いて、ＣＰＵ１０１は、判定部９の駆動を制御して、通過する紙幣Ｐのカテゴリを判定する（ＳＴ２４）。すなわち、ＣＰＵ１０１は、判定部９により紙幣Ｐの正券／損券や、カテゴリとして券種を判定する。
【００４５】
続いて、ＣＰＵ１０１は、判定部９によるカテゴリの判定結果に基づいて、紙幣Ｐを集積ユニット４０に搬送し、対応するカテゴリに設定されたいずれかのポケット部２６ａ乃至２６ｄに集積する（ＳＴ２５）。
【００４６】
例えば、ＣＰＵ１０１は、判定部９により紙幣Ｐのカテゴリが１０００円であると判定した場合、メモリ部１０３に記憶されている設定データに基づいて１０００円のカテゴリを有する紙幣Ｐの集積先として第１ポケット部２６ａを指定し、紙幣Ｐを第１ポケット部２６ａに集積する。同様に、ＣＰＵ１０１は、５０００円のカテゴリを有する紙幣Ｐを第３ポケット部２６ｃに集積し、１００００円のカテゴリを有する紙幣Ｐを第４ポケット部２６ｄに集積する。
【００４７】
続いて、ＣＰＵ１０１は、計数部４１ａ乃至４１ｅからの出力信号に基づいて、それぞれのポケット部に集積された紙幣Ｐの集積枚数を計数する（ＳＴ２６）。続いて、ＣＰＵ１０１は、計数部４１ａ乃至４１ｅを介して計数した集積枚数が予め指定された区切り枚数に達したか否かを判断する（ＳＴ２７）。
【００４８】
そして、ＣＰＵ１０１は、集積枚数が区切り枚数に達していないと判断したのに基づいて（ＳＴ２７、Ｎ）、各表示部４２ａ乃至４２ｅを制御して、計数した集積枚数を第１表示モードで表示させ（ＳＴ２８）、ステップＳＴ２２に戻る。例えば、ＣＰＵ１０１は、計数部４１ｂからの出力信号に基づいて計数された集積枚数と、メモリ部１０３に記憶されている指定データに基づいて対応するポケット部２６ａの区切り枚数と、を比較する。計数部４１ｂによって計数された集積枚数が５０枚であり、指定された区切り枚数が１００枚である場合、表示部４２ｂには、図３の（ａ）に示すように集積枚数として「５０」枚と点灯表示される。
【００４９】
一方、ＣＰＵ１０１は、集積枚数が区切り枚数に達したと判断したのに基づいて（ＳＴ２７、Ｙ）、各表示部４２ａ乃至４２ｅを制御して、計数した集積枚数を第２表示モードで表示させる（ＳＴ２９）。例えば、ＣＰＵ１０１は、計数部４１ｂからの出力信号に基づいて計数された集積枚数と、メモリ部１０３に記憶されている指定データに基づいて対応するポケット部２６ａの区切り枚数と、を比較する。計数部４１ｂによって計数された集積枚数が１００枚であり、指定された区切り枚数が１００枚である場合、表示部４２ｂには、図３の（ｂ）に示すように集積枚数として「１００」枚と点滅表示される。
【００５０】
続いて、ＣＰＵ１０１は、対応するポケット部への集積枚数が区切り枚数に達したと判断したのに基づいて、同一カテゴリを有する紙幣Ｐの集積先を変更可能であるか否かを判断する（ＳＴ３０）。そして、ＣＰＵ１０１は、集積先を変更可能であると判断したのに基づいて（ＳＴ３０、Ｙ）、集積先を変更する（ＳＴ３１）。
【００５１】
例えば、ＣＰＵ１０１は、１０００円のカテゴリを有する紙幣Ｐする際に、第１ポケット部２６ａの集積枚数が区切り枚数に達した場合には、メモリ部１０３の設定データに基づいて、１０００円のカテゴリを有する紙幣Ｐを集積可能な他のポケット部の設定があるか否かを判断する。この例では、第２ポケット部２６ｂが１０００円のカテゴリを有する紙幣Ｐの集積先に設定されているため、ＣＰＵ１０１は、１０００円のカテゴリを有する紙幣Ｐの集積先を第１ポケット部２６ａから第２ポケット部２６ｂに変更する。
【００５２】
また、ＣＰＵ１０１は、集積先の変更が不可であると判断したのに基づいて（ＳＴ３０、Ｎ）、紙幣Ｐの新たな取り出し、及び、紙幣Ｐの搬送を停止するとともに、表示部１０５を制御して、オペレータに対して警告を発生する（ＳＴ３２）。
【００５３】
例えば、ＣＰＵ１０１は、５０００円のカテゴリを有する紙幣Ｐする際に、第３ポケット部２６ｃの集積枚数が区切り枚数に達した場合には、メモリ部１０３の設定データに基づいて、５０００円のカテゴリを有する紙幣Ｐを集積可能な他のポケット部の設定があるか否かを判断する。この例では、５０００円のカテゴリを有する紙幣Ｐの他の集積先が設定されていないため、ＣＰＵ１０１は、紙幣Ｐの取り出し及び搬送動作を停止する。
【００５４】
また、ステップＳＴ２２において、ＣＰＵ１０１は、紙幣検知センサＳからの出力信号に基づいて、紙幣供給部２に取り出す紙幣Ｐがないと判断したのに基づいて（ＳＴ２２、Ｎ）、紙幣の集積モードを終了する。
【００５５】
上述したように、この実施の形態に係る紙葉類処理装置及び紙葉類処理方法によれば、各ポケット部に対応してそれぞれ１つの表示部を設け、さらに、複数の表示モードで表示可能としたことにより、コストの増大を招くことなく複数の情報を単一の表示部に表示することができる。
【００５６】
すなわち、前処理モードにおいては、区切り枚数を指定したのに基づいて表示部に区切り枚数が表示され、また、券種などのカテゴリを設定したのに基づいて、表示部にカテゴリが表示される。これにより、オペレータは、各ポケット部に対応する表示部を視認することにより、それぞれ指定した区切り枚数及び設定したカテゴリを確認することができる。したがって、ポケット部の位置の設定ミスを抑制することが可能となる。
【００５７】
また、紙幣などの紙葉類の集積モードにおいては、各ポケットに集積された紙葉類の集積枚数が表示部に第１表示モードで表示され、集積枚数が指定された区切り枚数に達したのに基づいて集積枚数が表示部に第２表示モードで表示される。これにより、オペレータは、ポケット部の集積枚数が区切り枚数に達したことを認識しやすくなり、集積途中であるのか、区切り枚数に達したのかを確認することができる。したがって、集積枚数が区切り枚数に達したポケット部がその状態で放置されることを抑制することができ、また、オペレータによる迅速な対応を促すことができ、紙葉類の処理効率を向上することが可能となる。
【００５８】
さらに、各ポケット部に対応してそれぞれ１個の表示部を設けるのみであるため、別個にブザーや他の表示装置を設ける必要がなく、コストの増大を抑制することができる。
【００５９】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００６０】
【発明の効果】
以上説明したように、この発明によれば、コストの増大を招くことなく、複数の情報を表示可能な紙葉類処理装置及び紙葉類処理方法を提供することができる。
【図面の簡単な説明】
【図１】図１は、この発明の一実施の形態に係る紙葉類処理装置の構成を概略的に示す図である。
【図２】図２は、図１に示した紙葉類処理装置における各ポケット部に対応して設けられた表示部の一例を示す図である。
【図３】図３の（ａ）は、図２に示した表示部に第１表示モードで集積枚数を表示した状態を示す図であり、図３の（ｂ）は、表示部に第２表示モードで区切り枚数を表示した状態を示す図であり、図３の（ｃ）は、表示部にカテゴリを表示した状態を示す図である。
【図４】図４は、図１に示した紙葉類処理装置の構成を概略的に示すブロック図である。
【図５】図５は、図１に示した紙葉類処理装置に適用可能な前処理モードを説明するためのフローチャートである。
【図６】図６は、図１に示した紙葉類処理装置に適用可能な紙葉類の集積モードを説明するためのフローチャートである。
【符号の説明】
Ｐ…紙幣（紙葉類）
２…紙幣供給部（取出手段）
９…判定部（判定手段）
２６ａ〜２６ｄ…ポケット部
４０…集積ユニット（集積手段）
４１ａ〜４１ｅ…計数部（計数手段）
４２ａ〜４２ｅ…表示部（表示手段）
１０１…ＣＰＵ（制御手段）
１０３…メモリ部
１０７…入力部
１０７Ａ…指定部（指定手段）
１０７Ｂ…設定部（設定手段）
【図１】
2004054786.tif 000003
【図２】
2004054786.tif 000004
【図３】
2004054786.tif 000005
【図４】
2004054786.tif 000006
【図５】
2004054786.tif 000007
【図６】
2004054786.tif 000008